【手続補正書】
【提出日】平成18年12月8日(2006.12.8)
【手続補正１】
【補正対象書類名】明細書
【補正対象項目名】特許請求の範囲
【補正方法】変更
【補正の内容】
【特許請求の範囲】
【請求項１】  原稿画像をデジタルのカラー画像信号として読み取り、前記原稿画像の出力カラー画像を形成する画像処理装置において、
前記カラー画像信号に対して、デジタル・フィル夕処理を行う第１のフィルタ手段と、
前記デジタル・フィルタ処理後のカラー画像信号を画像圧縮する手段と、
前記画像圧縮後のカラー画像信号を記憶する手段と、
前記記憶されたカラー画像信号を伸長する手段と、
前記伸長後のカラー画像信号に対して、デジタル・フィルタ処理を行う第２のフィルタ手段と
を備え、
前記第１のフィル夕手段は、前記画像圧縮後のカラー画像信号の劣化を低減するデジタル・フィル夕処理を行い、前記第２のフィル夕手段は、前記伸長後のカラー画像信号の劣化を低減するデジタル・フィルタ処理を行い、前記第２のフィルタ手段からのカラー画像信号に基づき前記出力カラー画像を形成することを特徴とする画像処理装置。
【請求項２】  原稿画像を画素単位でサンプリングしてデジタルのカラー画像信号として読み取り、前記原稿画像の出力カラー画像を形成する画像処理装置において、
前記読み取りの後に、前記カラー画像信号のパターンに基づき、前記各画素位置での画像の特徴を識別する識別手段と、
前記各画素に前記識別の結果に応じてフラグデータを生成するフラグ生成手段と、
複数のデジタル・フィルタ特性を有し、個別にフィル夕処理を行う第１のフィル夕手段と、
前記第１のフィル夕手段から出力されるフィル夕処理の異なるカラー画像信号から、前記画素毎に、前記フラグデータに応じて、前記カラー画像信号を抽出し、カラー画像信号を形成する第１の形成手段と、
前記形成されたカラー画像信号を画像圧縮すると共に、前記フラグデータもデータ圧縮する圧縮手段と、
前記画像圧縮後のカラー画像信号および前記データ圧縮後のフラグデータを記憶する手段と、
前記記憶されたカラー画像信号および前記記憶されたフラグデータを伸長する手段と、
複数のデジタル・フィルタ特性を有し、個別にフィル夕処理を行う第２のフィル夕手段と、
前記第２のフィル夕手段から出力されるフィル夕処理の異なるカラー画像信号から、前記画素毎に、前記伸長後のフラグデータに応じて、前記カラー画像信号を抽出し、カラー画像信号を形成する第２の形成手段と
を備え、
前記第２の形成手段からのカラー画像信号に基づき前記出力カラー画像を形成することを特徴とする画像処理装置。
【請求項３】  前記第１のフィルタ手段および前記第２のフィルタ手段は、変倍率に応じて前記複数のデジタル・フィルタ特性を変えることを特徴とする請求項１または請求項２記載の画像処理装置。
【請求項４】  原稿画像をデジタルのカラー画像信号として読み取り、前記原稿画像の出力カラー画像を形成する画像処理方法において、
前記カラー画像信号に対して、デジタル・フィル夕処理を行う第１のフィルタステップと、
前記デジタル・フィルタ処理後のカラー画像信号を画像圧縮するステップと、
前記画像圧縮後のカラー画像信号を記憶するステップと、
前記記憶されたカラー画像信号を伸長するステップと、
前記伸長後のカラー画像信号に対して、デジタル・フィルタ処理を行う第２のフィルタステップと
を備え、
前記第１のフィル夕ステップは、前記画像圧縮後のカラー画像信号の劣化を低減するデジタル・フィル夕処理を行い、前記第２のフィル夕ステップは、前記伸長後のカラー画像信号の劣化を低減するデジタル・フィルタ処理を行い、前記第２のフィルタステップからのカラー画像信号に基づき前記出力カラー画像を形成することを特徴とする画像処理方法。
【請求項５】  原稿画像を画素単位でサンプリングしてデジタルのカラー画像信号として読み取り、前記原稿画像の出力カラー画像を形成する画像処理方法において、
前記読み取りの後に、前記カラー画像信号のパターンに基づき、前記各画素位置での画像の特徴を識別する識別ステップと、
前記各画素に前記識別の結果に応じてフラグデータを生成するフラグ生成ステップと、
複数のデジタル・フィルタ特性を有し、個別にフィル夕処理を行う第１のフィル夕ステップと、
前記第１のフィル夕ステップから出力されるフィル夕処理の異なるカラー画像信号から、前記画素毎に、前記フラグデータに応じて、前記カラー画像信号を抽出し、カラー画像信号を形成する第１の形成ステップと、
前記形成されたカラー画像信号を画像圧縮すると共に、前記フラグデータもデータ圧縮する圧縮ステップと、
前記画像圧縮後のカラー画像信号および前記データ圧縮後のフラグデータを記憶するステップと、
前記記憶されたカラー画像信号および前記記憶されたフラグデータを伸長するステップと、
複数のデジタル・フィルタ特性を有し、個別にフィル夕処理を行う第２のフィル夕ステップと、
前記第２のフィル夕ステップから出力されるフィル夕処理の異なるカラー画像信号から、前記画素毎に、前記伸長後のフラグデータに応じて、前記カラー画像信号を抽出し、カラー画像信号を形成する第２の形成ステップと
を備え、
前記第２の形成ステップからのカラー画像信号に基づき前記出力カラー画像を形成することを特徴とする画像処理方法。
【請求項６】  前記第１のフィルタステップおよび前記第２のフィルタステップは、変倍率に応じて前記複数のデジタル・フィルタ特性を変えることを特徴とする請求項４または請求項５記載の画像処理方法。
【請求項７】  原稿画像をデジタルのカラー画像信号として読み取り、前記原稿画像の出力カラー画像を形成する画像処理をコンピュータに実行させるためのプログラムを格納したコンピュータ可読メモリであって、前記プログラムは、
前記カラー画像信号に対して、デジタル・フィル夕処理を行う第１のフィルタステップを実行するコードと、
前記デジタル・フィルタ処理後のカラー画像信号を画像圧縮するステップを実行するコードと、
前記画像圧縮後のカラー画像信号を記憶するステップを実行するコードと、
前記記憶されたカラー画像信号を伸長するステップを実行するコードと、
前記伸長後のカラー画像信号に対して、デジタル・フィルタ処理を行う第２のフィルタステップを実行するコードと
を備え、
前記第１のフィル夕ステップを実行するコードは、前記画像圧縮後のカラー画像信号の劣化を低減するデジタル・フィル夕処理を行い、前記第２のフィル夕ステップを実行するコードは、前記伸長後のカラー画像信号の劣化を低減するデジタル・フィルタ処理を行い、前記第２のフィルタステップからのカラー画像信号に基づき前記出力カラー画像を形成するためのコードを備えたことを特徴とするコンピュータ可読メモリ。
【請求項８】  原稿画像を画素単位でサンプリングしてデジタルのカラー画像信号として読み取り、前記原稿画像の出力カラー画像を形成する画像処理をコンピュータに実行させるためのプログラムを格納したコンピュータ可読メモリであって、前記プログラムは、
前記読み取りの後に、前記カラー画像信号のパターンに基づき、前記各画素位置での画像の特徴を識別する識別ステップを実行するコードと、
前記各画素に前記識別の結果に応じてフラグデータを生成するフラグ生成ステップを実行するコードと、
複数のデジタル・フィルタ特性を有し、個別にフィル夕処理を行う第１のフィル夕ステップを実行するコードと、
前記第１のフィル夕ステップから出力されるフィル夕処理の異なるカラー画像信号から、前記画素毎に、前記フラグデータに応じて、前記カラー画像信号を抽出し、カラー画像信号を形成する第１の形成ステップを実行するコードと、前記形成されたカラー画像信号を画像圧縮すると共に、前記フラグデータもデータ圧縮する圧縮ステップを実行するコードと、
前記画像圧縮後のカラー画像信号および前記データ圧縮後のフラグデータを記憶するステップを実行するコードと、
前記記憶されたカラー画像信号および前記記憶されたフラグデータを伸長するステップを実行するコードと、
複数のデジタル・フィルタ特性を有し、個別にフィル夕処理を行う第２のフィル夕ステップを実行するコードと、
前記第２のフィル夕ステップから出力されるフィル夕処理の異なるカラー画像信号から、前記画素毎に、前記伸長後のフラグデータに応じて、前記カラー画像信号を抽出し、カラー画像信号を形成する第２の形成ステップを実行するコードと
を備え、
前記第２の形成ステップからのカラー画像信号に基づき前記出力カラー画像を形成するためのコードを備えたことを特徴とするコンピュータ可読メモリ。
【手続補正２】
【補正対象書類名】明細書
【補正対象項目名】００１５
【補正方法】変更
【補正の内容】
【００１５】
【課題を解決するための手段】
上述の目的を達成するために、本発明は、原稿画像をデジタルのカラー画像信号として読み取り、前記原稿画像の出力カラー画像を形成する画像処理装置において、前記カラー画像信号に対して、デジタル・フィル夕処理を行う第１のフィルタ手段と、前記デジタル・フィルタ処理後のカラー画像信号を画像圧縮する手段と、前記画像圧縮後のカラー画像信号を記憶する手段と、前記記憶されたカラー画像信号を伸長する手段と、前記伸長後のカラー画像信号に対して、デジタル・フィルタ処理を行う第２のフィルタ手段とを備え、前記第１のフィル夕手段は、前記画像圧縮後のカラー画像信号の劣化を低減するデジタル・フィル夕処理を行い、前記第２のフィル夕手段は、前記伸長後のカラー画像信号の劣化を低減するデジタル・フィルタ処理を行い、前記第２のフィルタ手段からのカラー画像信号に基づき前記出力カラー画像を形成する構成とした。
【手続補正３】
【補正対象書類名】明細書
【補正対象項目名】００１６
【補正方法】変更
【補正の内容】
【００１６】
また、他の発明は、原稿画像を画素単位でサンプリングしてデジタルのカラー画像信号として読み取り、前記原稿画像の出力カラー画像を形成する画像処理装置において、前記読み取りの後に、前記カラー画像信号のパターンに基づき、前記各画素位置での画像の特徴を識別する識別手段と、前記各画素に前記識別の結果に応じてフラグデータを生成するフラグ生成手段と、複数のデジタル・フィルタ特性を有し、個別にフィル夕処理を行う第１のフィル夕手段と、前記第１のフィル夕手段から出力されるフィル夕処理の異なるカラー画像信号から、前記画素毎に、前記フラグデータに応じて、前記カラー画像信号を抽出し、カラー画像信号を形成する第１の形成手段と、前記形成されたカラー画像信号を画像圧縮すると共に、前記フラグデータもデータ圧縮する圧縮手段と、前記画像圧縮後のカラー画像信号および前記データ圧縮後のフラグデータを記憶する手段と、前記記憶されたカラー画像信号および前記記憶されたフラグデータを伸長する手段と、複数のデジタル・フィルタ特性を有し、個別にフィル夕処理を行う第２のフィル夕手段と、前記第２のフィル夕手段から出力されるフィル夕処理の異なるカラー画像信号から、前記画素毎に、前記伸長後のフラグデータに応じて、前記カラー画像信号を抽出し、カラー画像信号を形成する第２の形成手段とを備え、前記第２の形成手段からのカラー画像信号に基づき前記出力カラー画像を形成する構成とした。